(57)【要約】【課題】    収納ケースが空のときそのケース本体を折り畳み可能とすることで、空間に占める大きさを縮小し、使用しないときの収納により便利な折り畳み収納ケースの提供。  【解決手段】    主に底板、2枚の左右側面板、2枚の前後側面板から構成され、底板の四辺角部に第一、第二軸接体を設け、第一軸接体により底板と前後側面板が軸接され、第二軸接体により底板と左右側面板が軸接され、前後側面板と底板の間及び左右側面板と底板の間は折り畳み機能を備え、さらに、前後側面板及び左右側面板上部の相互連結箇所に差込孔を設け、四つの角連結体を相隣する板体の差込孔に挿入して連結され、強固な箱構造が形成される。且つ、該角連結体が相隣する板体を連結していない状態下において、その前後側面板、左右側面板及び底板を重ねて折り畳むことができる。【選択図】    図１ 
0003105613.tif 000002
【実用新案登録請求の範囲】
【請求項１】
折り畳み収納ケースであって、底板、2枚の前後側面板及び2枚の左右側面板から成り、そのうち、該底板の四辺角部に四つの第一軸接体及び四つの第二軸接体を設け、該四つの第一軸接体により底板と前後側面板が軸接され、該四つの第二軸接体により底板と左右側面板が軸接され、前後側面板と底板間及び左右側面板と底板間に折り畳み機能が形成され、さらに、2枚の前後側面板及び2枚の左右側面板上部の相互連結箇所にそれぞれ差込孔を設け、別途四つの角連結体を相隣する板体の該差込孔内に挿入し、折り畳み収納ケースの箱型の構造型体が固定され、且つ、該角連結体が相隣する板体を連結していない状態下において、その前後側面板、左右側面板及び底板を重ねて折り畳むことができる、折り畳み収納ケース。
【考案の詳細な説明】
【技術分野】
【０００１】
本考案は収納ケース、引き出し等箱型の構造体に関し、特に、強固な構造で折り畳み収納に便利な折り畳み収納ケースに関する。
【背景技術】
【０００２】
日常生活において、収納ケースは物品の收集や収納に多く用いられ、また野菜や雑貨等販売する商品を入れるため、販売業者にも収納ケースは多く利用されている。収納ケースは物品の保存や販売商品の分類に便利であるため、一般的な商品の売場では複数の収納ケースを利用し、隨時異なる分類の物品の収納に用いられている。
【０００３】
また、一般的な収納ケースは相当容積を物品の収納に提供するため、一定の体積を備えており、使用者が未使用の収納ケースを積み重ねて置くことを可能にするため、現在様々な積み重ね收納に便利な収納ケースの構造が提供されている。このような使用方法は、複数の収納ケースを積み重ねることができるため、その占める空間を減少することができるが、一般家庭について言えば、多くの空箱を保管することはできず、その活動空間は元々相当に限られているため、その空間において空の収納ケースが邪魔になってしまい、それはすでに収納ケースの数量の問題ではなく、空の収納ケース本体の固定形態が根本的な問題となる。
【考案の開示】
【考案が解決しようとする課題】
【０００４】
本考案は、収納ケースが空のときそのケース本体を折り畳み可能とすることで、空間に占める大きさを縮小し、使用しないときの収納により便利な折り畳み収納ケースを提供することを目的とする。  
【課題を解決するための手段】
【０００５】
本考案の折り畳み収納ケースは、主に底板、左右側面板、前後側面板から構成され、底板の四辺角部に第一、第二軸接体を設け、第一軸接体により底板と前後側面板が軸接され、第二軸接体により底板と左右側面板が軸接され、前後側面板と底板の間及び左右側面板と底板の間は折り畳み機能を備え、さらに、前後側面板及び左右側面板上部の相互連結箇所に差込孔を設け、四つの角連結体を相隣する板体の差込孔に挿入して連結され、強固な箱構造が形成される。且つ、該角連結体が相隣する板体を連結していない状態下において、その前後側面板、左右側面板及び底板を重ねて折り畳むことができる。
【考案の効果】
【０００６】
角連結体が相隣する板体を連結していない状態下において、折り畳み収納ケースの前後側面板、左右側面板及び底板を重ねて折り畳むことができ、収納に便利である。
【考案を実施するための最良の形態】
【０００７】
本考案の折り畳み収納ケースの構造と全体の動作について、以下図面に基づき詳細に説明する。
【０００８】
本考案の折り畳み収納ケースの全体の基本構造を図１に示す。図１に示すように、本考案の折り畳み収納ケースは、底板１１、2枚の前後側面板１２及び2枚の左右側面板１３から構成され、本実施例においては、底板１１、各前後側面板１２及び各左右側面板１３は円管状の角材枠体で四辺を囲んだ枠辺構造を呈し、該円管状角材から構成される枠辺構造と布、藤等の編織物１５を組み合わせて成り、且つ、左右側面板１３（または前後側面板１２）の板体上に手指の伸入に便利な開口部１６を設け、折り畳み収納ケースの運搬に用いたり、折り畳み収納ケースを引き出しとして利用することもできる。
【０００９】
同時に図２に示すように、底板１１の四辺角部に四つの第一軸接体２１及び四つの第二軸接体２２を設け、四つの第一軸接体２１により底板１１と前後側面板１２が軸接され、四つの第二軸接体２２により底板１１と左右側面板１３が軸接されることにより、該前後側面板１２と底板１１の間及び左右側面板１３と底板１１の間に折り畳み機能を備えさせる。
【００１０】
また、2枚の前後側面板１２及び2枚の左右側面板１３上部の相互連結箇所にそれぞれ差込孔１４を設け、四つの角連結体２３を相隣する板体の差込孔１４内に挿入し、該四つの角連結体２３により折り畳み収納ケースの箱型構造が固定される。該角連結体２３により相隣する板体が連結されていない状態下においては、前後側面板１２、左右側面板１３及び底板１１を重ねて折りたたむことができ、折り畳み収納ケースの收納に便利な状態となる。
【００１１】
本考案の底板１１は、四つの角部にそれぞれ２つの第一軸接体２１と第二軸接体２２がそれぞれ挿入される差込孔１４を備え、2枚の前後側面板１２底辺角部に第一軸接体２１が挿入される差込孔１４を設け、同様に、2枚の左右側面板１３底辺角部に第二軸接体２２が挿入される差込孔１４を設ける。前述の各板体の差込孔１４は、円管状角材枠体の中空構造を直接利用して構成することができる。
【００１２】
図３及び図４に示すように、第一軸接体２１はベース部２４を備え、ベース部２４上に軸棒２５及び挿入棒２６を設け、軸棒２５が底板１１の差込孔１４に挿入され、挿入棒２６が前後側面板１２の差込孔１４に挿入されて、前後側面板１２は軸棒２５を軸心として回動することができる。第二軸接体２２の構造については、図５及び図６に示すように、第二軸接体２２も同様にベース部２４を備え、該ベース部２４上に２つの平行に並んだ軸棒２５を設け、該２つの軸棒２５がそれぞれ相対する底板１１と左右側面板１３の差込孔１４内に挿入され、左右側面板１３は軸棒２５を軸心として回動することができる。
【００１３】
このため、折り畳み収納ケース全体の各前後側面板、各左右側面板と底板は、必要に応じて箱状の形体を形成し、角連結体により箱型の形体を固定することで、強固な構造の収納ケースとなる。図７及び図８に示すように、該角連結体２３はベース部２４を備え、該ベース部２４上に平行して並んだ２つの挿入棒２６を設け、該挿入棒２６を前後側面板１２と左右側面板１３の相隣する差込孔に挿入し、相隣する板体が確実に連結される。
【００１４】
図３、図５及び図７に示す実施例において、第一軸接体２１、第二軸接体２２及び角連結体２３は一体成型の構造を呈しているが、当然、そのベース部２４上の軸棒２５、挿入棒２６等の構造は、別々に製作してネジで固定する構造で同等の機能を備えた部品とすることもできる。
【００１５】
以上、本考案の折り畳み収納ケースの構造について具体的に説明してきたが、以上の実施例及び図面は本考案の最良の実施例を示すものであり、本考案を限定するものではなく、本考案の構造、装置、特徴等と近似または同等のものは、すべて本考案の要旨及び特許申請範囲内に含まれるものとする。
【図面の簡単な説明】
【００１６】
【図１】本考案の折り畳み収納ケースの組立て後の状態を示す立体外観斜視図である。
【図２】本考案の折り畳み収納ケースの構造を示す立体分解図である。
【図３】本考案の第一軸接体の外観を示す立体図である。
【図４】本考案の第一軸接体の組立て位置を示す立体図である。
【図５】本考案の第二軸接体の外観を示す立体図である。
【図６】本考案の第二軸接体の組立て位置を示す立体図である。
【図７】本考案の角連結体の外観を示す立体図である。
【図８】本考案の角連結体の組立て位置を示す立体図である。
【符号の説明】
【００１７】
１１        底板
１２        前後側面板
１３        左右側面板
１４        差込孔
１５        編織物
１６        開口部
２１        第一軸接体
２２        第二軸接体
２３        角連結体
２４        ベース部
２５        軸棒
２６        挿入棒
【図１】
0003105613.tif 000003
【図２】
0003105613.tif 000004
【図３】
0003105613.tif 000005
【図４】
0003105613.tif 000006
【図５】
0003105613.tif 000007
【図６】
0003105613.tif 000008
【図７】
0003105613.tif 000009
【図８】
0003105613.tif 000010